(57)【要約】      （修正有）【課題】エアコン（空調機器）の高効率化による節電装置を提供する。【解決手段】エアコン（空調機器）の節電装置の構造は、エアコンの内部機器から冷却器の露として排出される冷却水を、ドレンホースを箱の形状の節電装置に通し、さらにここからビニールパイプを通して、効率良くエアコン（空調機器）の外部機器の熱変換器に排出し、冷却ファンによって外部機器の熱変換器を高効率に運転することを特徴とする。【選択図】図２
0003204221.tif 000002
【実用新案登録請求の範囲】
【請求項１】
エアコン（空調機器）の節電装置の構造は、エアコンの内部機器から冷却器の露として排出される冷却水をドレンホースを箱の形状の節電装置に通し、さらにここからビニールパイプを通して効率良くエアコン（空調機器）の外部機器の熱変換器に排出し、冷却ファンによって外部機器の熱変換器を高効率に運転することを特徴とする箱形状のエアコン（空調機器）の節電装置。
【請求項２】
エアコン（空調機器）の節電装置の構造は、厚さ１ｍｍ程度の鋼板を長方形の箱の形状にし、箱の大きさは、エアコン（空調機器）の外部機器の大きさ横の大きさ、幅の大きさのそれぞれ２ｃｍ縮小した寸法で高さの寸法は、７ｃｍの大きさに加工することを特徴とする請求項１記載のエアコン（空調機器）の節電装置。
【請求項３】
エアコン（空調機器）の節電装置の設備構造は、２本のエンビパイプを上下にそれぞれ配管します。そして１本は継手をドレンホースからドレン水を他の１本は、風呂の残り湯を通すことの継手に接続します。さらに２本のエンビパイプを節電装置の箱の形状の上下にそれぞれにエアコン（空調機器）の外部機器の熱変換器に位置に沿って配管し、固定バンドで節電装置の箱に固定しパイプの下部に直径２ｍｍ程度のドレン水などを通す穴を開けることを特徴とする請求項１記載のエアコン（空調機器）の節電装置。
【請求項４】
エアコン（空調機器）の節電装置の構造は、請求項３記載の節電装置の箱の底に直径２ｍｍ程度の穴をエアコン（空調機器）の外部機器の熱変換器の中央に沿って３ｃｍ間隔で穴を開けドレン水などの冷却水が外部機器の熱変換器に排出することを特徴する請求項１記載のエアコン（空調機器）の節電装置。
【請求項５】
エアコン（空調機器）の節電装置は、ドレン水などの冷却水を通すためにエアコン（空調機器）の節電装置の箱の腐食を防止するためにカラーラッカーなどで塗装し、冷却水が効率良くエアコン（空調機器）の外部機器の熱変換器に排出するためにシリコンなど他の方に流出しないように枠を作ることを特徴とする請求項１記載のエアコン（空調機器）の節電装置。
【考案の詳細な説明】
【考案の詳細な名称】
エアコン（空調機器）の熱変換器の高効率化による節電装置
【考案の概要】
【考案が解決しようとする課題】
【０００１】  本件考案（発明）は、エアコン（空調機器）の熱変換器の高効率化による節電装置を考案（発明）しました。これは、一般家庭で一番使用電力量の大きい機器に照準を当てて、夏季期間と冬季期間の電力需要不足の解消を図るためには、省エネルギー機器の開発を急務と考えこの課題に取組みました。
さらに、もう一つの理由には二酸化炭素排出による地球温暖化ストップを考えているからです。
１ｋｗｈの電力量を使用することによって二酸化炭素が０，５５ｋｇ排出されます。しかしあの３，１１の原子力発電所（原発）事故以来原子力発電所（原発）の稼働は０です。日本の発電量の３割は、原子力発電所（原発）からの電力で補われていました。また原子力発電所（原発）１基からの発電量は、１００万ｋｗｈで正に巨大エネルギーです。そして原子力発電所（原発）から二酸化炭素は、排出されませんから地球環境に負荷を与えはいないのです。
こういうことから原子力発電所（原発）の代わりに現在は、火力発電所が主として発電している状況であり、かつその内容のエネルギー（燃料源）が石炭、石油、ＬＰＧで日本の全発電量の８０％を占めており地球環境に負荷をかけていることから１ｋｗｈの電力量を使用すると０，７もしくは０，８ｋｇの二酸化炭素を排出していると算出になります。
何も環境対策をしないでいると今世紀末は、全世界の平均気温が４，８度Ｃ上昇し、海面が８０ｃｍ上昇すると言われています。
私が、子供だった５０年以上前のころは、真夏でここ鳥取県米子市の山陰地方では、家の戸を全開して蚊帳を吊って寝ていたものでした。あの頃の真夏の気温が２７，８度Ｃでした。その頃気温が３０度Ｃ超えれば大変でした。では今ではどうでしようか。現在の真夏の気温が３４，５度Ｃは当たり前です。夜は正に毎晩熱帯夜です。とんでもない、あの頃のようなころはもうこないのです。実に気温が５，６度Ｃも上がっているのです。もし環境対策をしなければ気候が変わり毎日、毎日が風水害などの災害が発生し、台風、竜巻などが地球全体を覆い包んで今世紀は、人類が人類を絶滅する世紀になってしまうかもしれないと予想されます。
もし、このままでいればエネルギーを使用する（消費）こと自体が、「悪」と言われるかも知れません。我々人間は、エネルギーによって生命を維持しています。
こうならないためにも、いち早く省エネルギー機器を開発することが急務だと考えています。
現在のエアコン（空調機器）本体のコンプレッサーを稼働させているモータの制御技術は最高の技術ですが、更なる限界に挑戦するための方法として熱変換器本体のより一層の高効率化によって節電（抑制）しようと節電装置を考案（発明）したものです。
また電力不足、地球温暖化などの関係から毎年夏季の電力需要時期には政府、各電力会社から節電要請があり作年も７月１日から始まりました。
この節電要請から少しでも節約しようとして特に高齢者は、エアコン（空調機器）の電源を切断したり、設定温度を上げたりして屋外のみならず屋内でも熱中症にかかり最悪場合亡くなったりする事案が報道されのをよく耳にします。このように国民の健康面にも夏の気候変化が大きく影響しています。また、冬の節電要請が１２月１日からスタートしました。期間は３月３１日までです。政府は無理をせずと呼びかけていますが、実際はどうでしょうか。やはり特に高齢者は、エアコン（空調機器）の設定温度を下げたり、あるいはエアコン（空調機器）の電源を切断したりして無理をすることをよく耳にします。その結果健康面にも影響を受けます。このような事態を無くすためにも対策が必要です。
この度考案（発明）したエアコン（空調機器）の節電装置は、エアコン（空調機器）を稼働させることによって節電（電力カット）する装置です。ですから電気代のことを考えずにエアコン（空調機器）を動かして欲しいアイデアから発想したものです。以上のことからも省エネルギー機器の開発を急ぐ大きな理由があります。
注：文中で一般家庭で一番使用電力量の大きいと表現していますが、業務用でも同じ意味です。
【考案の効果】
【０００２】  エアコン（空調機器）の節電装置の考案（発明）によって夏季期間の電力需要時期におけるエアコン（空調機器）（室内機の設定温度２７度Ｃ）の使用電力量を節電装置を稼働させない場合と比較して実験のデータから実に１／３に使用電力量を抑制し、従来の使用電力量の２／３をカットすることができました。
（参考資料１〜３（データ）４〜１１（グラフ）参照）
正に予想を遥かに超えた効果であり私自身も余りにも大きな効果に身体が震えました。
実験場の大きさを本八畳の中の間、同じく本八畳の表の間、周り縁付き、玄関、廊下まで全開と実験条件を変えて実施して実験の結果をデータに取りました。エアコン（空調機器）の節電装置を稼働させるのは、普段捨ててるエネルギーを使用しますのでコスト（お金の必要性）はかかりません。エアコン（空調機器）の室内機から排出されるドレン水を活用するからです。
正に手っ取り早い方法だからです。
また冬季期間の電力需要時期におけるエアコン（空調機器）（室内設定温度２５度Ｃ）使用電力量を節電装置を稼働させる方法としては、朝洗濯する前に風呂の残り湯を活用して節電装置を稼働させて使用電力量を抑制（カット）させる方法です。これも普段捨ててるエネルギーを使用しますのでコスト（お金の必要性）はかかりません。それは風呂の残り湯を活用するからです。
また実験場の大きさを夏季期間と同じく本八畳の中の間、同じく本八畳の表の間としてエアコン（空調機器）を最高のフル稼働の状況としました。
節電装置を稼働させない場合と比較して実験のデータなどから使用電力量を４／５に抑制し使用電力量の１／５（２０％）をカットすることができました。
（参考資料１２〜１４（データ）１５〜２０（グラフ）参照）
風呂の残り湯の温度を計測したところ電源切断後の１時間後で３７度Ｃ翌日朝の８時間後で３０〜３３度Ｃありましたので充分活用できると判断しました。
エアコン（空調機器）（室内設定温度２５度Ｃ）の節電装置を稼働させた時、室外機の状況を確認したところエアコンの熱変換器であるラジエターに通常節電装置を稼働させない時の場合と比較して１時間後霜が付着し、その後氷付く状況が認められたが、それが節電装置を稼働させた時には、霜が付着しその後氷付く状況が全く認められませんでした。
またエアコン（空調機器）の室外機の熱変換器であるラジエターに霜が、付着した場合に室内機の暖房運転が中止し、室外機の霜が付着し氷付いたものを取除くために、逆運転である冷房運転に切替わりますが、そのようなこともなく、暖房運転をし続けている状況が認められました。
そしてエアコン（空調機器）の熱変換器が、効率よく稼働して節電装置が効果を出していることが、認められました。
らに熱変換器を効率よく稼働させる方法として、エアコン（空調機器）の室外機の排気熱用のファンの回転数ｒｐｍを、１／２〜１／３ｒｐｍ程度の弱風に回転数を減速するか、もしくは停止にすれば熱変換器を更に効率よく稼働することになりより効果が、かなり期待できます。「追伸」、このことは、想像以上にエアコン（空調機器）の室外機が暖房運転の場合には、巨大な冷凍庫になることが確認できました。
ですから熱変換器を効率よく稼働させる方法として、室外機の排気熱用のファンの回転数ｒｐｍを落とすか停止にすることで風呂の残り湯のエネルギーを有効利用でき、その結果、熱変換器の効率を更に向上できると期待できるからです。
【技術分野】
【０００３】  本考案（発明）は、エアコン（空調機器）の熱変換器の高効率化による節電装置であり機器設備の増設装置（機器構造）に関するものである。
【背景技術】
【０００４】  エアコン（空調機器）は、現在最も危機に直面している需要時期の電力不足による電気エネルギー問題を解決するために家庭電化製品の中で、一番使用電力量の大きいものに照準を当てて節電装置を考案（発明）し、夏季期間、冬季期間における猛暑、低温から回避にすることによって国民の生命と身体の保持と快適な生活環境とさらに電力不足問題を解決しようとするものである。【０００５】  本考案（発明）は、エアコン（空調機器）の節電装置は、一般家庭で一番使用電力量の大きい機器に照準を当てて夏季と冬季の電力需要不足の解消と省エネルギー機器の開発を急務と考えている理由の一つに二酸化炭素排出による地球温暖化ストップを考えているからです。
つまり、１ｋｗｈの電力量を使用することによって二酸化炭素が０，５５ｋｇ排出されます。しかしあの３，１１の原子力発電所（原発）事故以来原子力発電所（原発）の稼働は０です。ですから現在の１ｋｗｈの電力量を使用すると０，７もしくは０，８ｋｇの二酸化炭素を排出していることになります。
日本の発電量の３割は、原子力発電所（原発）からの電力で補われていました。また（原子力発電所）原発１基からの発電量は、１００万ｋｗｈで正に巨大エネルギーです。そして原発から二酸化炭素は、排出されませんから地球環境に負荷を与えはいないのです。
自動車でガソリン１リットルを消費すれば二酸化炭素を２，５ｋｇ排出して」しまいます。日本の二酸化炭素の排出の半分は、発電所から出ています。そして交通運輸部門からは、２０％排出しています。
全世界で二酸化炭素の排出量が２７０億トンになりますが、一番多いのが中国で全世界の２５％、次いでアメリカ合衆国の１７％、日本では、これだけ工業化が進んでいるのにかかわらず３，８％の１０億トン程度となってます。
でも地球環境に負荷を与えないためにも二酸化炭素の排出量を減らすことが最重要課題です。このためにも省エネルギー機器の開発を一番急務と考えています。この他に排出された二酸化炭素を減らす（吸収）方も重要になってきます。それは森を増やし多くの森林の光合成による二酸化炭素を吸収させて減らす方法がありますが、これは別分野になります。
以上のことから二酸化炭素の排出を抑制するためには、どうしても省エネルギー機器の開発を急ぐ必要があります。でないともし何も環境対策をしないでいると今世紀末は、全世界の平均気温が４，８度Ｃ上昇し、海面が８０ｃｍ上昇すると言われています。
今や、化石燃料を使っている場合ではありません。「早くやめないと」、どうなるか分からないのです。
もし何も変わらなければ気象が変わり毎日、毎日が風水害などの災害が発生し、台風、竜巻などが我々に襲いかかり大変なことになります。
このためにもいち早く省エネルギー機器の開発を急務と考えている訳です。
この度のエアコン（空調機器）の節電装置の考案（発明）もその一環です。
もし電気エネルギーの省電力化ができれば発電所から出る二酸化炭素の排出を抑制すこどができれば地球温暖化にストップをかけることができます。
エアコン（空調機器）の使用電力量を抑制する方法は、エネルギーの変換効率を高めることで冷房時に於いては、室外側のコンプレッサーで媒体を圧縮し放出される熱エネルギーをラジエターの外気の冷却ファンだけで冷却するのでなく、室内機側から発生するドレン水と雨天の時、屋外の雨トイからでる雨水を活用してさらにラジエターの冷却率をさらにＵＰしようとする発想です。
エアコン（空調機器）の熱変換器を高効率化にするためには、冷却ファンとドレン水とさらに雨水によりこの効果を発揮できます。
それは、なぜかということになりますが真夏の時期よく家の玄関先に打ち水をまきますが、これは水が蒸発する時に周りの熱を吸収する働きがあるからです。この働きを活用すれば従来の冷却効果の二倍以上になります。
この作用を活用するのです。ですからその外気の冷気による温度差によって冷房の効果、効率が決まることになります。
これは、コンプレッサーの稼働で電力消費した分、取り戻そうと考えてリサイクル的な発想で室内側で生み出した冷水であるドレン水の活用があったのです。こうすることによりエアコンの使用電力を抑制し、さらなる省エネ家電にすることができると考案（発明）しました。
これ意外にコンプレッサー一体型型のエアコンの場合、室内側の機器と室外側の機器が一体となっているものの大型のエアコンで室内に設置されているコンプレッサーからの放出熱を直接井戸ポンプで冷水である地下水を汲み上げで冷却する方法があります。
冷房効果を高効率にするためにエアコン（空調機器）の熱変換器を高効率化に稼働させることによって使用電力量を考案（発明）した節電装置により抑制しようとするものです。【０００６】  エアコン（空調機器）の節電装置に製作に当たっては、０，３〜０，５ｍｍ程度の厚みの薄い鋼板を準備します。エアコン（空調機器）の外部機器の上部蓋を外し、エアコン（空調機器）の上部内部と上部熱変換器の大きさと形状の寸法をとります。
（参考写真  １〜２、９参照）【０００７】  節電装置の冷却用ドレン水受けの箱状のものを製作します。「０００４」でエアコン（空調機器）の上部内部の寸法内で用意した大きさの鋼板を加工しドレン水受けを製作します。ドレン水受けの箱状の高さの寸法は、外径１８ｍｍの内径１３ｍｍのエスロンパイプを２本を組み合わせで配管するために７ｃｍとします。
節電装置の製作に当たっては、水漏れを防止するために加工する面が重なるところなどの部分にシリコンなどを塗布しておき隙間を埋めます。
（参考写真  １〜２  参照）（図面  １参照）【０００８】  「０００７」で製作した箱状のもののドレン水などの水を通しますので腐食を防止するために油性ラッカーで全体をやや厚めに塗装します。
（参考写真  ４〜８参照）【０００９】  「０００８」で塗装したドレン水受けをエアコン（空調機器）の上部内部の横面に沿って熱変換器がラジエター状に設置されていますが、その面の中央部分から二列にドリルで直径２ｍｍの穴を３ｃｍ間隔で開けます。また外径１８ｍｍの内径１３ｍｍのエスロンパイプを配管するためにエスロンパイプをエアコン（空調機器）の節電装置に固定します。このためにエスロンパイプ２本を上部位置と下部位置にそれぞれ２ｍｍの穴を３カ所開けます。
（参考写真  ３〜６  参照）（図面  ２  参照）【００１０】  「０００９」で製作したエアコン（空調機器）の節電装置に外径１８ｍｍの内径１３ｍｍのエスロンパイプを配管するために穴あけをパイプの径にあった穴開機を使用して製作します。エスロンパイプの下側向きには、ドレン水を排出するために２ｍｍの穴を開け３ｃｍ間隔でドリルを使用します。
（参考写真  ５参照）（図  ２参照）【００１１】  「００１０」で製作したエアコン（空調機器）の節電装置にドレン水を効果的に熱変換器のラジエター状に排出するためにシリコンで高さ５ｍｍで「０００７」の過程で製作した二列にドリルで直径２ｍｍの穴から１ｃｍ開けてこの面に沿って盛り上げます。
（参考写真  ６〜８参照）（図  ３参照）【００１２】  「００１１」で製作したエアコン（空調機器）の節電装置に外径１８ｍｍの内径１３ｍｍのエスロンパイプと継ぎ手を使用して配管します。
節電装置の中央の位置にある開いているエスロンパイプの穴にそれぞれネジが切り込んでいる継ぎ手を２本取り付けます。それに繋ぎ手のパイプにＴの字の継ぎ手を接続しそれぞれの位置にエスロンパイプにカーブのあるＬ字形の繋ぎ手を使用し、エスロンパイプを使用し最後にキャプをしてドレン水の放出を防止します。
繋ぎ手には、それぞれ接続用のエスロンパイプ用の接着剤を使用します。
（参考写真  ５〜８参照）（図  ４参照）【００１３】  「００１２」で製作したエアコン（空調機器）の節電装置にエスロンパイプを配管した後に配管をしたエスロンパイプを節電装置に固定するためにそれぞれ３カ所の穴を通して結束バンドでロックします。
（参考写真  ６、１０〜１１参照）【００１４】  「００１３」で製作したエアコン（空調機器）の節電装置を、エアコンの外部機器上部内側に取付るために、外部機器上部蓋を開けるのに金属用のネジ２本を取り外します。
エアコン（空調機器）の節電装置の中央付近にエアコン（空調機器）の外部機器の蓋の取り付け、ネジ穴に節電装置の金属板の取り付け金具を製作し、節電装置にネジで固定し、さらに外部機器本体のネジ穴にネジで固定します。これを左右同じ様にネジで固定します。
（参考写真  ９〜１２参照）【００１５】  エアコン（空調機器）の節電装置を外部機器本体上部内側に、取り付けを完了したものを、本体上部に金属用のネジで取り外した上部蓋を、左右同じ様に取り付けます。
そして、外部機器本体と上部蓋の間を保護するために周囲をカバーします。
（参考写真  １３〜１４参照）【００１６】  「００１５」でエアコン（空調機器）の節電装置を、外部機器本体に取り付けを完了しました。
節電装置には、二本のホースの注入口がありますが、一本はエアコン（空調機器）の内部機器から通してあるドレンホースに接続します。
もう一方の注入口は、雨トイから雨水を取り入れるためにホスに接続する予定でしたが、エアコン（空調機器）をリモコンで室内の温度設定を２７度Ｃし外気温度３０度Ｃで冷房を稼働させ、ドレン水の排出量を計測したところ毎時２Ｌ（リットル）／ｈの排出と、ドレン水の水温が２３度Ｃと確認しまたので、このことからエアコン（空調機器）の熱変換器の高効率化による節電には、充分と判断し雨水を取り入れることは、どうしても天候に左右されることから中止をしました。
（参考写真  ２２〜２３参照）【００１７】  冬季時期におけるエアコン（空調機器）の暖房稼働には、エアコン（空調機器）の熱変換器の高効率化する方法は、普段無駄に捨てているエネルギーを使用します。
それは、入浴後の風呂の残り湯を使用し、この残り湯を洗濯で使用する前に一般家庭で一日当たり容量５０Ｌ（リットル）分を利用することです。
これは、冬季時期で入浴後の風呂の残り湯をよく洗濯水に利用しますが、その前にエアコン（空調機器）の節電のために残り湯を活用します。
これによってエアコン（空調機器）の熱変換器に風呂の残り湯を排出することにより熱変換器を高効率化し使用電力量をカットしようとするものです。
残り湯を保管するタンクを発泡スチロールなどの断熱材を利用して残り湯の熱が外部に逃げないようにポリ容器を囲み保温します。
それをエアコン（空調機器）の外部機器本体より高い位置に台などで設置し高低差を利用し風呂の残り湯を熱変換器に排出し高効率化します。
（参考写真  ２４〜２８参照）【００１８】  「００１７」で製作した保温タンクの注入口のネジを利用して水栓（蛇口）を取り付けをし保温タンクから風呂の残り湯が排出する量を毎時２Ｌ（リットル）／ｈに調整します。
（参考写真  ２８参照）【００１９】  「００１８」で製作した保温庫の水栓（蛇口）から水道用ホースでエアコン（空調機器）の節電装置の開いているもう一方の注入口に接続します。
（参考写真  ２４〜２６参照）【００２０】  「００１９」で保温庫から水道用ホースでエアコン（空調機器）の節電装置に接続しているが、冬季のために風呂の残り湯の温度が低下しないように水道用ホースに保温材を巻きます。
（参考写真  ２７〜３０参照）【００２１】  エアコン（空調機器）の節電装置は、熱変換器の高効率化によって使用電力量をカットしようとする考案（発明）の装置（機器）です。
エアコン（空調機器）の熱変換器の高効率化する方法は、一般的に無駄と思って生活環境の中で捨てているエネルギーを有効活用します。
夏季期間には、エアコン（空調機器）を冷房稼働しますから当然室内機器からドレンホースから冷却されたドレン水を排出されますし、冬季期間には、エアコン（空調機器）を暖房稼働しますので、ここで熱変換器の高効率化するのにいらないものとして捨てているエネルギーである入浴後の風呂の残り湯を洗濯に利用する前に活用して使用電力量をカットしようとする考案（発明）です。【００２２】  実験では、温水タンクを別に設置しましたが、実際にはエアコン（空調機器）の節電装置の上部に暖房用に活用する容積５０Ｌ（リットル）の容積の保温温水庫を設置します。この保温温水庫に風呂の残り湯を給水し、ここからの温水をエアコン（空調機器）の節電装置に毎時２Ｌ（リットル）の量になるように水栓で調整し排出するようにパイプなどで接続します。室外機の全体の大きさは、一回り大きくなります。【００２３】  実験に使用したエアコン（空調機器）は、以下のとおりです。
メーカ  日立        型式  ＲＡＳ−２８１０ＲＸ
仕様    電              源    単相  １００ｖ
定格周波数  （Ｈｚ）    ５０、６０共用
冷房能力    （ｋｗ）    ２，８
中間冷房能力（ｋｗ）    １，４
冷房面積の目安（ｍ２）
鉄筋アパート南向き洋室        １９
木造南向き和室        １３
暖房標準能力（ｋｗ）  ４，０
中間暖房標準能力（ｋｗ）  １，９
暖房面積の目安（ｍ２）
鉄筋アパート南向き洋室        １８
木造南向き和室        １５
運  転  電  流（Ａ）
冷            房      ４，９
暖            房      ６，８
消  費  電  力（ｋｗ）
冷          房        ０，４６０
中間冷房              ０，１９０
暖房標準              ０，６７５
中間暖房標準          ０，２６０
運転音      （ｄＢ）
冷          房          ４５
暖          房          ４４【００２４】  実験の際に実験機と同性能で室外機の冷却ファンの排気熱温度の測定に使用したエアコン（空調機器）は、以下のとおりです。
メーカー  ＮＡＴＩＯＮＡＬ（現  Ｐａｎａｓｏｎｉｃ）製  型式  ＣＳ−２８４ＴＢ
仕様      冷媒量    ９８０ｇ  Ｒ４１０Ａ（室内＋室外）
消費電力  冷房  標準５８５Ｗ（１４０Ｗ〜６７５Ｗ）
中間２７５Ｗ
運転電流  ６，５Ａ
消費電力  暖房  標準７１５Ｗ（１３０Ｗ〜１１００Ｗ）
中間２９０Ｗ
運転電流  ７，９Ａ
【図面の簡単な説明】
【００２５】
【図１】：この図１は、実験機の外部機器（日立）のエアコン（空調機器）の上部内側に節電装置に取付けるドレン水を受ける箱状の図面です。
【図２】：この図２は、節電装置に取付けるドレン水を受ける箱状のもので配管パイプ穴とドレン水を排出する穴を開けた図面です。
【図３】：この図３は、節電装置にドレン水が効果的に排出するためにシリコンで仕切った図面です。
【図４】：この図４は、節電装置のドレン水受けにパイプを配管した図面です。
【図５】：この図５は、節電装置に取付ける配管パイプの各パーツ類でパイプ下方にドレン水排出用の穴を開けた図面です。
【図６】：この図６は、節電装置に取付ける配管パイプの継ぎ手の各パーツ類の図面です。
【図１】
0003204221.tif 000003
【図２】
0003204221.tif 000004
【図３】
0003204221.tif 000005
【図４】
0003204221.tif 000006
【図５】
0003204221.tif 000007
【図６】
0003204221.tif 000008
【手続補正書】
【提出日】平成28年2月26日(2016.2.26)
【手続補正１】
【補正対象書類名】実用新案登録請求の範囲
【補正対象項目名】全文
【補正方法】変更
【補正の内容】
【実用新案登録請求の範囲】
【請求項１】
エアコン（空調機器）の節電装置の構造は、エアコンの内部機器から冷却器の露として排出される冷却水をドレンホースを箱の形状の節電装置に通し、さらにここからビニールパイプを通して効率良くエアコン（空調機器）の外部機器の熱変換器に排出し、冷却ファンによって外部機器の熱変換器を高効率に運転することを特徴とする箱形状のエアコン（空調機器）の節電装置。
【請求項２】
エアコン（空調機器）の節電装置の構造は、厚さ１ｍｍ程度の鋼板を長方形の箱の形状にし、箱の大きさは、エアコン（空調機器）の外部機器の大きさ横の大きさ、幅の大きさのそれぞれ２ｃｍ縮小した寸法で高さの寸法は、７ｃｍの大きさに加工することを特徴とする請求項１記載のエアコン（空調機器）の節電装置。
【請求項３】
エアコン（空調機器）の節電装置の設備構造は、２本のエンビパイプを上下にそれぞれ配管し、１本は継手をドレンホースからドレン水を他の１本は、風呂の残り湯を通すことの継手に接続し、さらに２本のエンビパイプを節電装置の箱の形状の上下にそれぞれにエアコン（空調機器）の外部機器の熱変換器に位置に沿って配管し、そして固定バンドで節電装置の箱に固定しパイプの下部に直径２ｍｍ程度のドレン水などを通す穴を開けることの以上の構成からなることを特徴とする請求項１記載のエアコン（空調機器）の節電装置。
【請求項４】
エアコン（空調機器）の節電装置の構造は、請求項３記載の節電装置の箱の底に直径２ｍｍ程度の穴をエアコン（空調機器）の外部機器の熱変換器の中央に治って３ｃｍ間隔で穴を開けドレン水の冷却水が外部機器の熱変換器に排出することを特徴する請求項３記載のエアコン（空調機器）の節電装置。
【請求項５】
エアコン（空調機器）の節電装置は、ドレン水の冷却水を通すためにエアコン（空調機器）の節電装置の箱の腐食を防止するためにカラーラッカーで塗装し、冷却水が効率良くエアコン（空調機器）の外部機器の熱変換器に排出するためにシリコンで他の方に流出しないように枠を作ることを特徴とする請求項１記載のエアコン（空調機器）の節電装置。